【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
複数の画素を含み、前記複数の画素のそれぞれが、Ｒ副画素と、Ｇ副画素と、Ｂ副画素と、Ｆ副画素とを備える表示パネルに対応する表示ドライバのための色補正パラメータを決定する方法であって、
前記Ｒ副画素、前記Ｇ副画素及び前記Ｂ副画素が最小階調値に対応する駆動信号で駆動され、前記Ｆ副画素が最大階調値に対応する駆動信号で駆動されることに応じて前記表示パネルに表示される第１表示色の、所定の色空間における第１色座標データを取得するステップと、
評価対象色補正パラメータを決定するステップと、
前記評価対象色補正パラメータを用いて色補正処理を行って評価対象色補正後ＲＧＢデータを生成するステップと、
前記評価対象色補正後ＲＧＢデータを用いて色追加処理を行って評価対象ＦＲＧＢデータを生成するステップと、
前記評価対象ＦＲＧＢデータと前記第１色座標データとに基づいて前記評価対象色補正パラメータが適正か否かを判断するステップと、
前記評価対象色補正パラメータが適正であるとの判断に応じて、前記評価対象色補正パラメータを前記色補正パラメータとして決定するステップ
とを具備する
方法。
【請求項２】
前記評価対象色補正パラメータが適正か否かを判断するステップは、
前記評価対象ＦＲＧＢデータを用いて前記表示パネルが駆動されることに応じて前記表示パネルに表示される色のＲＧＢ輝度成分データを前記評価対象ＦＲＧＢデータと前記第１色座標データとに基づいて決定するステップと、
前記ＲＧＢ輝度成分データに基づいて前記評価対象色補正パラメータが適正か否かを判断するステップ
とを含む
請求項１に記載の方法。
【請求項３】
更に、
校正対象ＲＧＢデータに対応する目標ＲＧＢデータを用意するステップ
を具備し、
前記評価対象色補正パラメータが適正か否かの判断が、前記ＲＧＢ輝度成分データと前記目標ＲＧＢデータとの類似度に更に基づいている
請求項２に記載の方法。
【請求項４】
更に、
前記Ｒ副画素、前記Ｇ副画素及び前記Ｂ副画素を前記最小階調値に対応する駆動信号で駆動し、前記Ｆ副画素を前記最大階調値に対応する駆動信号で駆動したときに前記表示パネルに表示される前記第１表示色のＸＹＺ表色系における色座標に、前記Ｆ副画素を用いずに前記Ｒ副画素、前記Ｇ副画素及び前記Ｂ副画素を用いて画像を表示した場合の前記表示パネルの表示特性を示すＸＹＺ−ＲＧＢ変換マトリクスを作用することにより、前記第１表示色の原色Ｒの成分を表す値ＦＲ、前記第１表示色の原色Ｇの成分を表す値ＦＧ、及び前記第１表示色の原色Ｂの成分を表す値ＦＢを算出するステップを具備し、
前記ＲＧＢ輝度成分データが、前記評価対象ＦＲＧＢデータと前記値ＦＲ、値ＦＧ、値ＦＢとに基づいて算出される
請求項２又は３に記載の方法。
【請求項５】
前記ＲＧＢ輝度成分データは、
前記評価対象ＦＲＧＢデータに応じて前記表示パネルが駆動されたときに前記表示パネルに表示される色の原色Ｒの成分を示す値Ｒｒと、
前記評価対象ＦＲＧＢデータに応じて前記表示パネルが駆動されたときに前記表示パネルに表示される色の原色Ｇの成分を示す値Ｇｒと、
前記評価対象ＦＲＧＢデータに応じて前記表示パネルが駆動されたときに前記表示パネルに表示される色の原色Ｂの成分を示す値Ｂｒ
とを含み、
前記評価対象ＦＲＧＢデータは、
前記Ｆ副画素の階調値Ｆａと、
前記Ｒ副画素の階調値Ｒａと、
前記Ｇ副画素の階調値Ｇａと、
前記Ｂ副画素の階調値Ｂａ
とを含み、
前記値Ｒｒ、前記値Ｇｒ及び前記値Ｂｒが、前記最大階調値をＦＲＧＢＭＡＸとし、前記表示ドライバに設定されるガンマ値をγとして、下記式（１ａ）〜（１ｃ）：
【数１】
2019003128.tif 000001
に従って算出される
請求項４に記載の方法。
【請求項６】
更に、
前記Ｒ副画素、前記Ｇ副画素及び前記Ｂ副画素が前記最小階調値に対応する駆動信号で駆動され、前記Ｆ副画素が前記最小階調値より大きく前記最大階調値より小さい中間階調値に対応する駆動信号で駆動されることに応じて前記表示パネルに表示される第２表示色の、前記色空間における第２色座標データを取得するステップを更に具備し、
前記評価対象色補正パラメータが適正か否かを判断するステップは、前記評価対象ＦＲＧＢデータと前記第１色座標データと前記第２色座標データとに基づいて前記評価対象色補正パラメータが適正か否かを判断するステップを含む
請求項１に記載の方法。
【請求項７】
前記評価対象色補正パラメータが適正か否かを判断するステップは、
前記評価対象ＦＲＧＢデータに応じて前記表示パネルが駆動されることに応じて前記表示パネルに表示される色のＲＧＢ輝度成分データを前記評価対象ＦＲＧＢデータと前記第１色座標データと前記第２色座標データとに基づいて算出するステップと、
前記ＲＧＢ輝度成分データに基づいて前記評価対象色補正パラメータが適正か否かを判断するステップ
とを含む
請求項６に記載の方法。
【請求項８】
更に、
校正対象ＲＧＢデータに対応する目標ＲＧＢデータを用意するステップ
を具備し、
前記ＲＧＢ輝度成分データに基づいて前記評価対象色補正パラメータが適正か否かを判断するステップは、
前記ＲＧＢ輝度成分データと前記目標ＲＧＢデータとの類似度に更に基づいて前記評価対象色補正パラメータが適正か否かを判断するステップを含む
請求項７に記載の方法。
【請求項９】
更に、
前記Ｒ副画素、前記Ｇ副画素及び前記Ｂ副画素を前記最小階調値に対応する駆動信号で駆動し、前記Ｆ副画素を前記最大階調値に対応する駆動信号で駆動したときに前記表示パネルに表示される前記第１表示色のＸＹＺ表色系における色座標に、前記Ｆ副画素を用いずに前記Ｒ副画素、前記Ｇ副画素及び前記Ｂ副画素を用いて画像を表示した場合の前記表示パネルの表示特性を示すＸＹＺ−ＲＧＢ変換マトリクスを作用することにより、前記第１表示色の原色Ｒの成分を表す値ＦＲｍａｘ、前記第１表示色の原色Ｇの成分を表す値ＦＧｍａｘ、及び前記第１表示色の原色Ｂの成分を表す値ＦＢｍａｘを算出するステップと、
前記Ｒ副画素、前記Ｇ副画素及び前記Ｂ副画素を前記最小階調値に対応する駆動信号で駆動し、前記Ｆ副画素を前記中間階調値に対応する駆動信号で駆動したときに前記表示パネルに表示される前記第２表示色のＸＹＺ表色系における色座標に、前記ＸＹＺ−ＲＧＢ変換マトリクスを作用することにより、前記第２表示色の原色Ｒの成分を表す値ＦＲｍｉｄ、前記第２表示色の原色Ｇの成分を表す値ＦＧｍｉｄ、及び前記第２表示色の原色Ｂの成分を表す値ＦＢｍｉｄを算出するステップと、
を具備し、
前記ＲＧＢ輝度成分データが、前記評価対象ＦＲＧＢデータ、前記値ＦＲｍａｘ、前記値ＦＧｍａｘ、前記値ＦＢｍａｘ、前記値ＦＲｍｉｄ、前記値ＦＧｍｉｄ及び前記値ＦＢｍｉｄに基づいて算出される
請求項７又は８に記載の方法。
【請求項１０】
前記ＲＧＢ輝度成分データは、
前記評価対象ＦＲＧＢデータに応じて前記表示パネルが駆動されたときに前記表示パネルに表示される色の原色Ｒの成分を示す値Ｒｒと、
前記評価対象ＦＲＧＢデータに応じて前記表示パネルが駆動されたときに前記表示パネルに表示される色の原色Ｇの成分を示す値Ｇｒと、
前記評価対象ＦＲＧＢデータに応じて前記表示パネルが駆動されたときに前記表示パネルに表示される色の原色Ｂの成分を示す値Ｂｒ
とを含み、
前記評価対象ＦＲＧＢデータは、
前記Ｆ副画素の階調値Ｆａと、
前記Ｒ副画素の階調値Ｒａと、
前記Ｇ副画素の階調値Ｇａと、
前記Ｂ副画素の階調値Ｂａ
とを含み、
前記ＲＧＢ輝度成分データを算出するステップが、
前記中間階調値をｍｉｄとし、前記最大階調値をＦＲＧＢＭＡＸとして、下記式（２ａ）〜（２ｃ）： 
【数２】
2019003128.tif 000002
に従って算出される値ＦＲｉｎｔｐ、値ＦＧｉｎｔｐ、値ＦＢｉｎｔｐと、前記表示ドライバに設定されるガンマ値γとを用いて、前記値Ｒｒ、前記値Ｇｒ及び前記値Ｂｒを、下記式（３ａ）〜（３ｃ）：
【数３】
2019003128.tif 000003
に従って算出するステップ
を含む
請求項９に記載の方法。
【請求項１１】
複数の画素を含み、前記複数の画素のそれぞれが、Ｒ副画素と、Ｇ副画素と、Ｂ副画素と、Ｆ副画素とを備える表示パネルに対応する表示ドライバのための色補正パラメータを決定する色調整装置であって、
演算装置と、
インターフェース
とを具備し、
前記演算装置は、
前記Ｒ副画素、前記Ｇ副画素及び前記Ｂ副画素が最小階調値に対応する駆動信号で駆動され、前記Ｆ副画素が最大階調値に対応する駆動信号で駆動されることに応じて前記表示パネルに表示される第１表示色の、所定の色空間における第１色座標データを取得し、
評価対象色補正パラメータを決定し、
前記評価対象色補正パラメータを用いて色補正処理を行って評価対象色補正後ＲＧＢデータを生成し、
前記評価対象色補正後ＲＧＢデータを用いて色追加処理を行って評価対象ＦＲＧＢデータを生成し、
前記評価対象ＦＲＧＢデータと前記第１色座標データとに基づいて前記評価対象色補正パラメータが適正か否かを判断し、
前記評価対象色補正パラメータが適正であるとの判断に応じて、前記評価対象色補正パラメータを前記色補正パラメータとして決定するように構成され、
前記インターフェースは、前記色補正パラメータを前記表示ドライバに送信する
色調整装置。
【請求項１２】
前記演算装置は、
前記評価対象ＦＲＧＢデータを用いて前記表示パネルが駆動されることに応じて前記表示パネルに表示される色のＲＧＢ輝度成分データを、前記評価対象ＦＲＧＢデータと前記第１色座標データとに基づいて決定し、
前記ＲＧＢ輝度成分データに基づいて前記評価対象色補正パラメータが適正か否かを判断するように構成された
請求項１１に記載の色調整装置。
【請求項１３】
更に、校正対象ＲＧＢデータに対応する目標ＲＧＢデータを記憶する記憶装置
を具備し、
前記演算装置は、前記ＲＧＢ輝度成分データと前記目標ＲＧＢデータとの類似度に更に基づいて前記評価対象色補正パラメータが適正か否かを判断する
請求項１２に記載の色調整装置。
【請求項１４】
複数の画素を含み、前記複数の画素のそれぞれが、Ｒ副画素と、Ｇ副画素と、Ｂ副画素と、Ｆ副画素とを備える表示パネルに対応する表示ドライバのための色補正パラメータを決定するためのプログラムであって、
演算装置に、下記ステップ：
前記Ｒ副画素、前記Ｇ副画素及び前記Ｂ副画素が最小階調値に対応する駆動信号で駆動され、前記Ｆ副画素が最大階調値に対応する駆動信号で駆動されることに応じて前記表示パネルに表示される表示色の、所定の色空間における色座標データを取得するステップ、
評価対象色補正パラメータを決定するステップ、
前記評価対象色補正パラメータを用いて色補正処理を行って評価対象色補正後ＲＧＢデータを生成するステップ、
前記評価対象色補正後ＲＧＢデータを用いて色追加処理を行って評価対象ＦＲＧＢデータを生成するステップ、
前記評価対象ＦＲＧＢデータと前記色座標データとに基づいて前記評価対象色補正パラメータが適正か否かを判断するステップ、及び、
前記評価対象色補正パラメータが適正であるとの判断に応じて、前記評価対象色補正パラメータを前記色補正パラメータとして決定するステップ
を実行させる
プログラム。
【請求項１５】
前記評価対象色補正パラメータが適正か否かを判断するステップは、
前記評価対象ＦＲＧＢデータを用いて前記表示パネルが駆動されることに応じて前記表示パネルに表示される色のＲＧＢ輝度成分データを、前記評価対象ＦＲＧＢデータと前記色座標データとに基づいて決定するステップと、
前記ＲＧＢ輝度成分データに基づいて前記評価対象色補正パラメータが適正か否かを判断するステップ
とを含む
請求項１４に記載のプログラム。
【請求項１６】
前記評価対象色補正パラメータが適正か否かの判断が、前記演算装置の記憶装置に格納された目標ＲＧＢデータと前記ＲＧＢ輝度成分データとの類似度に更に基づいている
請求項１５に記載のプログラム。
【請求項１７】
複数の画素を含み、前記複数の画素のそれぞれが、Ｒ副画素と、Ｇ副画素と、Ｂ副画素と、Ｆ副画素とを備える表示パネルと、
前記表示パネルを駆動する表示ドライバと、
ホスト
とを具備し、
前記表示ドライバは、
ＲＧＢデータに対して色補正パラメータを用いて色補正処理を行って色補正後ＲＧＢデータを生成する色補正回路と、
前記色補正後ＲＧＢデータに対して色追加処理を行ってＦＲＧＢデータを生成する色追加回路と、
前記ＦＲＧＢデータに応じて前記表示パネルを駆動する駆動部と、
前記Ｒ副画素、前記Ｇ副画素及び前記Ｂ副画素が最小階調値に対応する駆動信号で駆動され、前記Ｆ副画素が最大階調値に対応する駆動信号で駆動されることに応じて前記表示パネルに表示される表示色の、所定の色空間における色座標データを不揮発的に記憶する不揮発性メモリ
とを備え、
前記ホストは、
前記表示ドライバから前記色座標データを受け取り、
評価対象色補正パラメータを決定し、
前記評価対象色補正パラメータを用いて色補正処理を行って評価対象色補正後ＲＧＢデータを生成し、
前記評価対象色補正後ＲＧＢデータを用いて色追加処理を行って評価対象ＦＲＧＢデータを生成し、
前記評価対象ＦＲＧＢデータと前記色座標データとに基づいて前記評価対象色補正パラメータが適正か否かを判断し、
前記評価対象色補正パラメータが適正であるとの判断に応じて、前記評価対象色補正パラメータを前記色補正パラメータとして決定し、
前記表示ドライバに設定すべき前記色補正パラメータを前記表示ドライバに転送するように構成された
表示システム。
【請求項１８】
前記ホストは、
前記評価対象ＦＲＧＢデータに応じて前記表示パネルが駆動されることに応じて前記表示パネルに表示される色のＲＧＢ輝度成分データを、前記評価対象ＦＲＧＢデータと前記色座標データとに基づいて算出し、
前記ＲＧＢ輝度成分データに基づいて前記評価対象色補正パラメータが適正か否かを判断するように構成された
請求項１７に記載の表示システム。
【請求項１９】
前記ホストは、校正対象ＲＧＢデータに対応する目標ＲＧＢデータを記憶しており、
前記ＲＧＢ輝度成分データと前記目標ＲＧＢデータとの類似度に基づいて前記評価対象色補正パラメータが適正か否かの判断が、前記ＲＧＢ輝度成分データと前記目標ＲＧＢデータとの類似度に更に基づいている
請求項１８に記載の表示システム。
【手続補正２】
【補正対象書類名】明細書
【補正対象項目名】発明の名称
【補正方法】変更
【補正の内容】
【発明の名称】方法、色調整装置、プログラム及び表示システム